(57)【要約】【課題】ケーブルの配線を容易にかつ短時間で行うことが可能な配線方法及び配線部材を提供する。【解決手段】ドロップケーブル１３を配線部材１に保持させる配線方法であって、ドロップケーブル１３を保持可能な２つのリング部２２を有する一対の配線リング１１が間隔をあけて配設された配線箇所に対して、ドロップケーブル１３を周回させて細長い輪１４を形成し、この輪１４の周方向の４箇所を、それぞれ、配線リング１１のリング部２２に設けられたケーブル挿抜部２４からドロップケーブル１３の横断面方向にリング部２２内へ通して保持させる。【選択図】図４
2012088380.tif 000002
【特許請求の範囲】
【請求項１】
ケーブルを配線部材に保持させる配線方法であって、
前記ケーブルを保持可能な２つのリング部を有する一対の配線リングが間隔をあけて配設された配線箇所に対して、前記ケーブルを輪状にして、この輪の周方向の４箇所を、それぞれ、前記配線リングの前記リング部に設けられたケーブル挿抜部から前記ケーブルの横断面方向に前記リング部内へ通して保持させることを特徴とする配線方法。
【請求項２】
請求項１に記載の配線方法であって、
前記ケーブルの直径よりも狭い隙間を有する前記ケーブル挿抜部に対して、前記ケーブルを通すことを特徴とする配線方法。
【請求項３】
ケーブルを保持する配線部材であって、
間隔をあけて配設された一対の配線リングを備え、
前記配線リングは、前記ケーブルを保持可能な２つのリング部を備え、
前記リング部は、前記ケーブルを横断面方向に挿抜可能なケーブル挿抜部を有し、
前記ケーブル挿抜部を通された前記ケーブルが前記リング部に保持されることを特徴とする配線部材。
【発明の詳細な説明】
【技術分野】
【０００１】
本発明は、クロージャ等で扱われるケーブルの配線方法及び配線部材に関する。
【背景技術】
【０００２】
近年、光ケーブルを用いたネットワークとして、加入者宅まで光ファイバを直接引き込むＦＴＴＨ（Fiber To The Home）という形態が採用されている。
【０００３】
ＦＴＴＨでは、例えば、ケーブルの光ファイバ相互を接続すると共に、接続部と、光ファイバの余長分とを収納するための心線接続余長収納トレイを備えたクロージャが使用される。そして、このクロージャによって、通信事業者のネットワークとして加入者宅近傍に配線された数心〜数十心程度の光ケーブルから、例えば、１〜２心程度の必要本数のドロップケーブルに分岐し、ネットワークの加入者宅へ引き込んでいる（例えば、特許文献１〜３参照）。
【先行技術文献】
【特許文献】
【０００４】
【特許文献１】特開２００３−３２９８４８号公報
【特許文献２】特開２００５−３１５９０５号公報
【特許文献３】特開２００６−３４３５７９号公報
【発明の概要】
【発明が解決しようとする課題】
【０００５】
クロージャ内で接続されてクロージャから導出されたドロップケーブルは、クロージャに取り付けられた配線リング等の配線部材に、ある程度余長を持たせた状態で保持される。特に、クロージャの一端側から引き出されたドロップケーブルを他端側へ導く際には、一巻き分の余長を確保して配線部材に保持させることがある。
【０００６】
配線部材へドロップケーブルを配線する場合の一例を、図５を参照して説明する。
図５（ａ）〜（ｃ）に示す配線部材は、クロージャの両端近傍における下部に取り付けられた一対の配線リング１を有している。配線リング１は、針金２を平面視矩形状に屈曲させることによりリング部３が形成されており、リング部３が互いに平行になるようにクロージャに固定されている。配線リング１は、針金２の他端部と中間部との間に、ドロップケーブル４が挿通可能な隙間５が、それぞれ反対側に一箇所ずつ形成されている。
【０００７】
上記の配線部材にドロップケーブル４を保持させるには、まず、ドロップケーブル４を周回させて細長い輪６を形成し、一方の配線リング１のリング部３内へ、その隙間５からドロップケーブル４の輪６の周方向の２箇所（６Ｂ，６Ａ）を６Ｂ，６Ａの順に入れ、輪６の一方側をリング部３内に配置させる。
【０００８】
次に、図５（ｂ）に示すように、他方の配線リング１のリング部３内へ、その隙間５からドロップケーブル４の輪６の他方側における２箇所（６Ｃ，６Ｄ）を６Ｃ，６Ｄの順に入れ、輪６の他方側をリング部３内に配置させる。
その後、図５（ｃ）に示すように、風等でドロップケーブル３に張力が作用しても配線リング１から外れないように、結束バンドや接着テープ等の結束材７によってドロップケーブル４を配線リング１に結束して固定する。
【０００９】
このようなドロップケーブル４の配線部材への配線は、クロージャが設置された高所等で行われるため、容易にかつ短時間で作業できることが要求されるが、上記のような作業の順番が決まっている配線作業は、作業性があまり良くなく、さらなる短時間で作業ができることが望まれる。
【００１０】
本発明の目的は、ドロップケーブルの配線を容易にかつ短時間で行うことが可能な配線方法及び配線部材を提供することにある。
【課題を解決するための手段】
【００１１】
上記課題を解決することのできる本発明の配線方法は、ケーブルを配線部材に保持させる配線方法であって、
前記ケーブルを保持可能な２つのリング部を有する一対の配線リングが間隔をあけて配設された配線箇所に対して、前記ケーブルを輪状にして、この輪の周方向の４箇所を、それぞれ、前記配線リングの前記リング部に設けられたケーブル挿抜部から前記ケーブルの横断面方向に前記リング部内へ通して保持させることを特徴とする。
【００１２】
本発明の配線方法において、前記ケーブルの直径よりも狭い隙間を有する前記ケーブル挿抜部に対して、前記ケーブルを通すことが好ましい。
【００１３】
また、本発明の配線部材は、ケーブルを保持する配線部材であって、
間隔をあけて配設された一対の配線リングを備え、
前記配線リングは、前記ケーブルを保持可能な２つのリング部を備え、
前記リング部は、前記ケーブルを横断面方向に挿抜可能なケーブル挿抜部を有し、
前記ケーブル挿抜部を通された前記ケーブルが前記リング部に保持されることを特徴とする。
【発明の効果】
【００１４】
本発明によれば、ドロップケーブルを輪状に形成し、この輪の周方向の４箇所を、それぞれ、配線リングのケーブル挿抜部からリング部内へ通して保持させるだけで、ドロップケーブルを配線することができる。これにより、高所等での作業となることが多いドロップケーブルの配線作業を容易にかつ短時間で行うことができ、作業者への負担を大幅に軽減させることができる。
【図面の簡単な説明】
【００１５】
【図１】本発明に係る配線部材の一実施形態が設けられた配線箇所を示す斜視図である。
【図２】図１の配線部材を構成する配線リングの斜視図である。
【図３】図１の配線部材を構成する配線リングを示す図であって、（ａ）は平面図、（ｂ）は側面図、（ｃ）は正面図である。
【図４】本発明に係る配線方法による配線の手順の一実施形態を示す図であって、（ａ）及び（ｂ）は、それぞれ配線箇所の斜視図である。
【図５】従来の配線方法の一例を示す図であって、（ａ）〜（ｃ）は、それぞれ配線箇所の斜視図である。
【発明を実施するための形態】
【００１６】
以下、本発明に係る配線方法及び配線部材の実施の形態の例を、図面を参照して説明する。
図１に示すように、本実施形態に係る配線部材１は、一対の配線リング１１を備えている。これらの配線リング１１は、クロージャ１２の両端近傍における下部に取り付けられ、互いに間隔をあけた位置に配置されている。
【００１７】
クロージャ１２は、その内部に、多心の幹線系光ケーブルが引き込まれており、この光ケーブルの光ファイバに接続されて分岐されたドロップケーブル１３がクロージャ１２の一端側から導出されている。
【００１８】
図２及び図３に示すように、配線リング１１は、針金２０を屈曲させることにより形成されたものであり、固定部２１と、この固定部２１の両側に形成された２つのリング部２２とを有している。
固定部２１は、ねじ３０等が挿通可能な孔部２３を有しており、この孔部２３にねじ３０等を挿入してクロージャ１２のねじ孔（図示省略）へねじ込むことにより、クロージャ１２に配線リング１１が固定される。
【００１９】
固定部２１から下方へ延在された針金２０は、その下端から斜め下方へ延在された下方傾斜部２０ａと、下方傾斜部２０ａの端部から斜め上方へ延在された上方傾斜部２０ｂと、上方傾斜部２０ｂの端部から下方傾斜部２０ａと反対側の斜め下方へ延在された逆下方傾斜部２０ｃとを形成している。そして、リング部２２は、下方傾斜部２０ａ、上方傾斜部２０ｂ及び逆下方傾斜部２０ｃからなる平面視三角形状に形成され、その三角形の内側部分にドロップケーブル１３が収容可能である。
【００２０】
また、配線リング１１は、針金２０が逆下方傾斜部２０ｃの端部から斜め上方へ傾斜されて下方傾斜部２０ａに並列に配置された並列延在部２０ｄを有している。下方延在部２０ａと並列延在部２０ｄとは、その隙間が、ドロップケーブル１３の直径よりも小さく形成されている。例えば、この隙間は、０．５ｍｍ以下であり、また、下方延在部２０ａと並列延在部２０ｄとが接触して隙間が０ｍｍであってもよい。これらの下方延在部２０ａと並列延在部２０ｄとの隙間部分が、ケーブル挿抜部２４として形成されている。なお、この並列延在部２０ｄの端部では、針金２０が下方傾斜部２０ａから次第に離れる方向へ屈曲されている。
【００２１】
クロージャ１２から導出されたドロップケーブル１３は、一周回または複数周回輪状に巻かれて細長い輪１４が形成される。そして、このドロップケーブル１３は、その輪１４の一方側における２箇所（１４Ａ，１４Ｂ）が、一方の配線リング１１のそれぞれのリング部２２に収容されて保持され、輪１４の他方側における２箇所（１４Ｃ，１４Ｄ）が、他方の配線リング１１のそれぞれのリング部２２に収容されて保持されている。
【００２２】
次に、クロージャ１２の下部に取り付けられた配線部材１へドロップケーブル１３を保持させる場合について説明する。
図４（ａ）に示すように、まず、ドロップケーブル１３を輪状に周回させて細長い輪１４を形成する。
次に、図４（ｂ）に示すように、それぞれの配線リング１１の一方のリング部２２のケーブル挿抜部２４において、ドロップケーブル１３の輪１４の周方向の一方側の２箇所（１４Ａ，１４Ｃ）を、ケーブル挿抜部２４の針金２０とドロップケーブル１３とが交差する向きでドロップケーブル１３の横断面方向に入れ、輪１４の一方側を、それぞれの配線リング１１のリング部２２内に配置させる。
【００２３】
その後、それぞれの配線リング１１の他方のリング部２２のケーブル挿抜部２４において、ドロップケーブル１３の輪１４の周方向の他方側の２箇所（１４Ｂ，１４Ｄ）を、ケーブル挿抜部２４の針金２０とドロップケーブル１３とが交差する向きでドロップケーブル１３の横断面方向に入れ、輪１４の他方側を、それぞれの配線リング１１のリング部２２内に配置させる（図１参照）。輪１４の１４Ａ，１４Ｂ，１４Ｃ，１４Ｄをリング部２２に入れる順番は問わない。
【００２４】
なお、下方延在部２０ａと並列延在部２０ｄとの隙間であるケーブル挿抜部２４は、ドロップケーブル１３の直径よりも狭く形成されているが、針金２０が弾性変形して隙間が広がるので、隙間を通すドロップケーブル１３が損傷することは防がれる。なお、ドロップケーブル１３をリング部２２へ収容させる際に、作業者がこのケーブル挿抜部２４の隙間を広げてドロップケーブル１３を通しても良い。
上記の作業を行うことにより、ドロップケーブル１３は、配線部材１における一対の配線リング１１のリング部２２に保持される。
【００２５】
本実施形態によれば、ドロップケーブル１３を輪状に周回させて細長い輪１４を形成し、この輪１４の周方向の４箇所をケーブル挿抜部２４からケーブル横断面方向にリング部２２内へ通して保持させるだけで、ドロップケーブル１３を配線することができる。これにより、高所等での作業となることが多いドロップケーブル１３の配線作業を容易にかつ短時間で行うことができ、作業者への負担を大幅に軽減させることができる。
【００２６】
ドロップケーブル１３の直径よりも狭い隙間を有するケーブル挿抜部２４にドロップケーブル１３を通し、リング部２２にドロップケーブル１３を保持させるので、風等の外力によってリング部２２からドロップケーブル１３が抜け出すような不具合を防止することができる。これにより、結束バンドや接着テープなどの結束材によるドロップケーブル１３の固定を不要とすることができ、配線作業のさらなる容易化及び短時間化を図ることができる。
【００２７】
なお、上記実施形態では、針金２０を屈曲させて平面視三角形状のリング部２２を形成したが、リング部２２の形状は三角形状に限定されない。例えば、針金２０を湾曲させて平面視円形状のリング部２２を形成しても良い。
また、上記実施形態では、ドロップケーブル１３を一周回して形成した輪１４を配線リング１１に保持させたが、ドロップケーブル１３の輪１４は、一周回巻きに限らず複数周回巻いて形成しても良い。
また、配線部材１を用いて配線するケーブルは、上記のドロップケーブルに限られない。
【符号の説明】
【００２８】
１：配線部材、１１：配線リング、１３：ドロップケーブル、１４：輪、２２：リング部、２４：ケーブル挿抜部
【図１】
2012088380.tif 000003
【図２】
2012088380.tif 000004
【図３】
2012088380.tif 000005
【図４】
2012088380.tif 000006
【図５】
2012088380.tif 000007